(57)【要約】【課題】ＬＴＥ−Ａにおいて端末の送信電力の抑制を行うこと。【解決手段】端末は、１台またはそれ以上の台数の基地局と接続する２つまたはそれ以上の個数の上りリンクコンポーネントキャリアの送信電力を設定する送信電力設定部と、前記送信電力設定部からの情報に基づいて送信電力を制御する送信電力制御部と、前記個々の上りリンクコンポーネントキャリアの送信電力の総和を求める送信電力総和部と、を備える。【選択図】図５
2015177378.tif 000002
【特許請求の範囲】
【請求項１】
１台またはそれ以上の台数の基地局と接続する２つまたはそれ以上の個数の上りリンクコンポーネントキャリアの送信電力を設定する送信電力設定部と、
前記送信電力設定部からの情報に基づいて送信電力を制御する送信電力制御部と、
前記個々の上りリンクコンポーネントキャリアの送信電力の総和を求める送信電力総和部と、
送信電力の総和が所定の閾値を上回ると、消費電力を削減するための処理を開始する電力削減処理部と、
を含んで構成される端末。
【請求項２】
前記電力削減処理部は、前記コンポーネントキャリアで送信するデータ量を変更するか、またはハンドオーバーを実行することで、消費電力を削減する、
請求項１に記載の端末。
【請求項３】
１台またはそれ以上の台数の基地局と接続する２つまたはそれ以上の個数の上りリンクコンポーネントキャリアの送信電力を設定する送信電力設定部と、
前記送信電力設定部からの情報に基づいて送信電力を制御する送信電力制御部と、
前記個々の上りリンクコンポーネントキャリアの送信電力の総和を求める送信電力総和部と、
前記基地局から２つまたはそれ以上の個数の下りリンクコンポーネントキャリアで受信した受信電波の受信品質の総和を求めるＣＣ測定部と、
前記送信電力の総和および前記受信品質の総和から総合評価を求める総合評価部と、
前記総合評価が所定の閾値を上回ると、ハンドオーバーを実行するハンドオーバー制御部と、
を含んで構成される端末。
【請求項４】
一方では端末に接続し、他方では他の基地局と接続し、前記端末との接続はキャリアアグリゲーション接続である基地局であって、
前記端末から送信された前記端末の個々の上りリンクコンポーネントキャリアの送信電力の総和が、所定の閾値を超えたことを判定する判定部と、
前記送信電力の総和が前記閾値を上回ると、前記端末にハンドオーバーを実行させるハンドオーバー制御部と、
を含んで構成される基地局。
【請求項５】
一方では端末に接続し、他方では他の基地局と接続し、前記端末との接続はキャリアアグリゲーション接続である基地局であって、
前記端末から送信された前記端末の個々の上りリンクコンポーネントキャリアの送信電力の総和、および前記端末の受信電波の受信品質の総和から求められた総合評価が、所定の閾値を超えたことを判定する判定部と、
前記総合評価が前記閾値を上回ると、前記端末にハンドオーバーを実行させるハンドオーバー制御部と、
を含んで構成される基地局。
【発明の詳細な説明】
【技術分野】
【０００１】
本発明は、端末、基地局および通信方法、特にＬＴＥ−Ａ（ロングタームエボリューション−アドバンスト）における端末、基地局および通信方法に関する。
【背景技術】
【０００２】
携帯電話の通信規格であるＬＴＥ−Ａでは、２つまたはそれ以上の基本周波数ブロックであるＣＣ（コンポーネントキャリア）を結合して帯域を拡張する通信システムが提示されている。連続または不連続のＣＣを結合して広帯域化することを、ＣＡ（キャリアアグリゲーション）と言う。また、ＣＡを行う端末が２台の基地局と接続して通信を行うことをデュアル接続（デュアルコネクティビリティ）と言い、特に、２台の基地局が異種の基地局である場合はヘテロジニアスコミュニケーションと言う。
特許文献１には、（１）コンポーネントキャリアＡ、Ｂを運用する基地局１００のサービングセルに端末２００が所在する場合であって、セルＢはセルＡの一部をサポートするときに、高い下りリンク送信電力はセルＡに割り当て低い下りリンク送信電力はセルＢに割り当てること、（２）コンポーネントキャリアＡ、Ｂを運用する基地局１００１およびコンポーネントキャリアＣを運用する基地局１００２が所在し、そしてコンポーネントキャリアＡ、Ｃのセルが一部重なり合う場合であって、コンポーネントキャリアＣを停止させたり電力低下させたりするときに、上記（１）の条件を適用しつつ、端末２００をコンポーネントキャリアＣからコンポーネントキャリアＡまたはＢへハンドオーバーすること、が記載されている。
【先行技術文献】
【特許文献】
【０００３】
【特許文献１】特開２０１３−２０１５７６号公報
【発明の概要】
【発明が解決しようとする課題】
【０００４】
特許文献１に記載のものは、ＣＡについて記載されており、また２台の基地局が所在する場合やハンドオーバーにも言及している。しかし、特許文献１で言及する送信電力とは、基地局から端末へ向かう下りリンク送信電力のことであり、端末から基地局へ向かう上りリンク送信電力のことではない。これに対して、本発明の実施形態の送信電力は専ら上りリンク送信電力のことである。また、特許文献１に記載のものは、基地局の省電力について記載するものの、端末の省電力については言及するところがない。
本発明の実施形態の一つの課題は、端末がＣＡを用いて１台またはそれ以上の台数の基地局と接続する場合に端末の省電力化を可能にすることである。本発明の実施形態の他の課題は以下の説明から明らかとなる。
【課題を解決するための手段】
【０００５】
端末が１台またはそれ以上の台数の基地局と、少なくとも２つまたはそれ以上の個数の上りリンクコンポーネントキャリアで接続する通信において、端末に前記上りリンクの２つまたはそれ以上の個数のコンポーネントキャリアの送信電力の省電力化手段を設ける。
【発明の効果】
【０００６】
本発明の実施形態によれば、端末がＣＡを用いて基地局と接続する場合、特にＣＡデュアル接続を含めて、端末の省電力化を効果的に図ることができる。
【図面の簡単な説明】
【０００７】
【図１】本発明の実施形態に関わる通信システムの構成図である。
【図２】ＰＣｅｌｌおよびＳＣｅｌｌの周波数関係を示す図である。
【図３】ハンドオーバーの事例（Ａ）、（Ｂ）、（Ｃ）を説明する表である。
【図４】複数のマクロセルと複数のスモールセルの配置関係の図解である。
【図５】端末の構成を示す概略ブロック図である。
【図６】マクロ基地局の構成を示す概略ブロック図である。
【図７】スモール基地局の構成を示す概略ブロック図である。
【図８】通信システムの動作シーケンス図である。
【発明を実施するための形態】
【０００８】
＜第１の実施形態＞
図１は、本発明の実施形態に関わる通信システム１の概略構成を示す。通信システム１は、端末ａならびに基地局ａ１、基地局ａ２、基地局ｂ１および基地局ｂ２を含んで構成される。
端末ａはユーザ端末である。図１において、端末ａはＬＴＥ−Ａに対応した携帯電話機である。
基地局ａ１および基地局ａ２は、送信電力の大きなマクロ基地局（アンカー基地局）であって、カバーエリアＣａ１およびカバーエリアＣａ２をそれぞれ有する。基地局ｂ１はおよび基地局ｂ２は、送信電力の小さなスモール基地局（フェムト基地局、ピコ基地局、リモートラジオヘッド、等）であって、カバーエリアＣｂ１およびカバーエリアＣｂ２をそれぞれ有する。
図１には、２つのヘテロジニアスネットワーク間のハンドオーバーの様子が描かれている。  
【０００９】
端末ａは、一例として、４つのＬＴＥキャリアであるＣＣ（コンポーネントキャリア）を同時に用いるＣＡ（キャリアアグリゲーション）を利用して、基地局ａ１および基地局ｂ１と通信を行うことができる。端末ａと基地局ａ１および基地局ｂ１とのＣＡの関係において、４つのＣＣのうち１つがＰＣＣ（プライマリＣＣ ）であり、他の３つのＣＣはＳＣＣ（セカンダリＣＣ）である。ただし、スモールセル内ではＰＣＣ的な役割を果たすＣＣも、ここではまとめてＳＣＣと呼んでいる。端末ａと基地局ａ１の間では、ＰＣＣと１つのＳＣＣを用いてＣＡ（キャリアアグリゲーション）を行う。これらのＣＣのサービングセルをＰＣｅｌｌ（プライマリセル）およびＳＣｅｌｌ０（セカンダリセル）と言う。端末ａと基地局ｂ１の間では、２つのＳＣＣを用いてＣＡを行う。これらのＣＣのサービングセルをＳＣｅｌｌ１およびＳＣｅｌｌ２と言う。なお、以下では、上記のサービングセルを以て対応するＣＣを指称することがある。図１において、符号ＰＣｅｌｌおよび符号ＳＣｅｌｌ０ないしＳＣｅｌｌ２は、サービングセルに対応するＣＣのリンク（回線）を示す。
以上は例示であって、端末ａは、基地局ａ１とは、ＰＣｅｌｌおよびＳＣｅｌｌ０の他に、任意の個数（零を含む）の上りリンク、下りリンクまたは対になった上り下りリンクのＳＣｅｌｌを用いて通信を行うことができる。また、端末ａは、基地局ｂ１とは、ＳＣｅｌｌ１およびＳＣｅｌｌ２の他に、任意の個数の上りリンク、下りリンクまたは対になった上り下りリンクのＳＣｅｌｌを用いて通信を行うことができる。
【００１０】
図１において、端末ａは、対となった（連結された）上りリンクのＣＣおよび下りリンクのＣＣに対応するＰＣｅｌｌで基地局ａ１と接続し、そして下りリンクのＣＣに対応するＳＣｅｌｌ０で基地局ａ１と接続する。端末ａは、対となった上りリンクのＣＣおよび下りリンクのＣＣに対応するＳＣｅｌｌｌで基地局ｂ１と接続し、そして下りリンクのＣＣに対応するＳＣｅｌｌ２で基地局ｂ１と接続する。
図１において、端末ａは、周辺セルのサーチ、特に基地局ａ２のサーチを行っている。
本発明の実施形態の通信システム１はＦＤＤシステム（周波数分割複信方式）であるが、しかし本発明の実施形態はＴＤＤシステム（時分割複信方式）へも適用することができる。
【００１１】
上述の接続において、下りリンクの通信ではＯＦＤＭＡ（直交周波数分割多重接続）が採用され、そして上りリンクの通信ではＳＣ−ＦＤＭＡ（シングルキャリア周波数分割多重接続）が採用される。端末ａから基地局ａ１、ｂ１への上りリンク制御信号はＣＣのＰＵＣＣＨ（物理上りリンク制御チャネル）を用いて送信され、上りリンクデータ信号（上りリンク共用データ）はＣＣのＰＵＳＣＨ（物理上りリンク共有チャネル）を用いて送信される。また、上述の接続において、基地局ａ１、ｂ１から端末ａへの下りリンク制御信号はＣＣのＰＤＣＣＨ（物理下りリンク制御チャネル）を用いて送信され、下りリンクデータ信号はＣＣのＰＤＳＣＨ（物理下りリンク共有チャネル）を用いて送信される。一例として、端末ａは、基地局ａ１とは、周波数ｆ１で帯域が１０ＭＨｚの上りリンクのＰＣｅｌｌのＣＣおよび周波数ｆ２で帯域が１０ＭＨｚの下りリンクのＰＣｅｌｌのＣＣ、ならびに周波数ｆ３で帯域が１０ＭＨｚの下りリンクのＳＣｅｌｌ０のＣＣを用いて、通信を行うことができる。端末ａは、基地局ｂ１とは、周波数ｆ４で帯域が２０ＭＨｚの上りリンクのＳＣｅｌｌ１のＣＣおよび周波数ｆ５で帯域が２０ＭＨｚの下りリンクのＳＣｅｌｌ１のＣＣ、ならびに周波数ｆ６で帯域が２０ＭＨｚの下りリンクのＳＣｅｌｌ２のＣＣを用いて、通信を行うことができる。
【００１２】
図２は、上述のＰＣｅｌｌ、ＳＣｅｌｌ０、ＳＣｅｌｌおよびＳＣｅｌｌ２の周波数配置の関係を示すものである。横軸は周波数軸である。周波数ｆ１、ｆ２、ｆ３は２ＧＨｚバンドのものであり、周波数ｆ４、ｆ５、ｆ６は３．５ＧＨｚバンドのものである。ＰＣｅｌｌは、対になった下りリンクおよび上りリンクのＣＣを総称するものである。ＳＣｅｌｌ１も同様である。また、周波数ｆ１ないしｆ６は、３つまたはそれ以上の個数の別の周波数バンドに属してもよい。基地局ａ１と基地局ｂ１は、バックホール、例えばＸインターフェースにて接続されている。従って、基地局ａ１と基地局ｂ１の間での直接通信が可能にされている。
【００１３】
図３は、端末a（図１）が利用する基地局を切り替えるハンドオーバーの事例を説明する図表である。事例（Ａ）では、端末ａは、基地局ａ１から基地局ｂ１へのハンドオーバーを行うが、基地局ｂ１から基地局ｂ２へのハンドオーバーを行わない。事例（Ｂ）では、端末ａは、基地局ａ１から基地局ｂ１へのハンドオーバーを行い、基地局ｂ１から基地局ｂ２へのハンドオーバーも行う。事例（Ｃ）では、端末ａは、基地局ａ１から基地局ｂ１へのハンドオーバーを行わないが、基地局ｂ１から基地局ｂ２へのハンドオーバーを行う。
【００１４】
図４は、図３の事例（Ａ）、（Ｂ）および（Ｃ）の場合の通信エリアの関係を示すものである。
図４（ａ）は、事例（Ａ）に対応するものである。（ｉ）エリアＣａ１およびエリアＣａ２は、一部重なった部分を有する。（ｉｉ）エリアＣｂ１は、エリアＣａ１と一部重なった部分を有する。（ｉｉｉ）エリアＣｂ１は、エリアＣａ２と一部重なった部分を有する。（ｉｖ）エリアＣｂ１は、エリアＣａ１およびエリアＣａ２の重なり部分と一部重なった部分を有する。
図４（ｂ）は、事例（Ｂ）に対応するものである。（ｉ）エリアＣａ１およびエリアＣａ２は、一部重なった部分を有する。（ｉｉ）エリアＣｂ１は、エリアＣａ１に包含される。（ｉｉｉ）エリアＣｂ２は、エリアＣａ２に包含される。（ｉｖ）エリアＣｂ１およびＣｂ２は、一部重なった部分を有する。（ｖ）エリアＣｂ１はエリアＣａ２と重ならない部分を有し、そしてエリアＣｂ２はエリアＣａ１と重ならない部分を有する。
図４（ｃ）は、事例（Ｃ）に対応するものである。（ｉ）エリアＣａ１は、エリアＣｂ１およびＣｂ２を包含する。（ｉｉ）エリアＣｂ１およびＣｂ２は、一部重なった部分を有する。
【００１５】
図５は、端末ａ（図１）の構成を示す概略ブロック図である。
端末ａは、ＬＴＥ送信部５１１、ＬＴＥ送信部５１２、ＬＴＥ受信部５１３、ＬＴＥ受信部５１４および制御部５２０を含んで構成される。端末ａは、各送受信部に接続されたアンテナ５３１ないしアンテナ５３４を有する。端末ａは、その他に、音声・映像等を出力する出力装置、ユーザからの指示を受け入れる入力装置等の公知の装置を備えるが、図５においてその図示は省略する。
ＬＴＥ送信部５１１およびＬＴＥ受信部５１３は、それぞれ周波数バンドＡ（例えば２ＧＨｚ帯）用の送信部および受信部である。ＬＴＥ送信部５１２およびＬＴＥ受信部５１４は、それぞれ周波数バンドＢ（例えば３．５ＧＨｚ帯）用の送信部および受信部である。
【００１６】
端末ａは、ＰＣｅｌｌの、対になった上りリンクのＣＣおよび下りリンクのＣＣを用いて、ＬＴＥ送信部５１１およびＬＴＥ受信部５１３で信号の送信および受信をそれぞれ行い、そしてＳＣｅｌｌ０の下りリンクのＣＣを用いて、ＬＴＥ受信部５１３で信号の受信を行う。また、端末ａは、ＳＣｅｌｌ１の、対になった上りリンクのＣＣおよび下りリンクのＣＣを用いて、ＬＴＥ送信部５１２およびＬＴＥ受信部５１４で信号の送信および受信をそれぞれ行い、そしてＳＣｅｌｌ２の下りリンクのＣＣを用いて、ＬＴＥ受信部５１４で信号の受信を行う。従って、端末ａは、上りリンクではＰＣｅｌｌおよびＳＣｅｌｌ１の２ＣＣを用いたＣＡ接続を行い、そして下りリンクではＰＣｅｌｌ、ＳＣｅｌｌ０、ＳＣｅｌｌ１およびＳＣｅｌｌ２の４ＣＣを用いたＣＡ接続を行うことができる。また、端末ａは、マクロ基地局およびスモール基地局という異なる基地局双方とのＣＡデュアル接続となっている。従って、このＣＡ接続はインターサイトＣＡ接続である。
【００１７】
制御部５２０は、送信電力制御部５２１、送信電力設定部５２２、ＣＣ測定部５２３、送受信品質報告部５２４、送信電力総和部５２５およびハンドオーバー制御部５２６を含んで構成される。
その他に、制御部５２０は、受信データや送信データの処理、各送受信部のキャリア周波数制御など、端末ａの通信に関わる様々な制御を行う公知の部材（図示せず）を含んで構成される。なお、制御部５２０は、その一部または全部をソフトウェア製品（端末ａの備えるＣＰＵがプログラムを実行することで実現されるソフトウェア製品）として半導体集積回路を用いて製品化することができる。半導体集積回路として製品化する場合は、制御部５２０は、１または複数の半導体チップとして集積化することができる。これらの点は基地局の制御部の構成においても同じである。
【００１８】
送信電力設定部５２２は、送信電力の設定を行い、そしてこの送信電力設定情報を送信電力制御部５２１へ伝える。送信電力制御部５２１は、送信電力設定情報に基づいてＬＴＥ送信部５１１、５１２のそれぞれの電力増幅器（図５において図示せず）等のパラメーターの設定を行う。電力増幅器の出力信号は、アンテナ５３１、５３２にそれぞれ給電され、そしてアンテナから電波になって送波される。以下では、アンテナ５３１、５３２への給電電力を、これらのアンテナそれぞれについての送信電力と言う。このことは以下で説明する基地局の制御部の構成において同じである。なお、送信電力設定部５２２は、１つの周波数バンドに属する２つまたはそれ以上の個数のＣＣの個々のＣＣ毎に、送信電力の設定を行うことができる。また、送信電力設定部５２２は端末ａの消費電力削減すなわち省電力化に関与する部材であるので、送信電力設定部５２２のことを電力削減処理部とか省電力化手段とかと言うことがある。
【００１９】
送信電力総和部５２５は、上述のアンテナ５３１および５３２の各の送信電力の総和（以下で、「上りリンク送信電力総和値」とか「送信電力総和」と言うことがある。）を、計算する。送信電力総和ＳＴは以下の式で表される。
【００２０】
ＳＴ＝Ｔａ１＋Ｔｂ１                              （１）
【００２１】
ただし、Ｔａ１は端末ａの基地局ａ１に対する送信電力である。Ｔｂ１は端末ａの基地局ｂ１に対する送信電力である。端末ａが基地局に対する通信を２つまたはそれ以上の個数のＣＣで行っているとき、送信電力Ｔａ１、Ｔｂ１のそれぞれは、この個々のＣＣについての送信電力を合計したものである。送信電力総和ＳＴが大きくなるほど端末ａの消費電力が増大するから、送信電力総和ＳＴは端末ａの消費電力の指標である。
送信電力総和部５２５の判定部５２５１は、また、送信電力総和ＳＴが記憶部５２５２に記憶された閾値ＴＨＳＴを上回ったかどうかを判定することができる。送信電力総和ＳＴが閾値ＴＨＳＴよりも小であるということは、端末ａの基地局ａ１、ｂ１への送信電力が全体として小さくて許容できる範囲に収まっていることを意味する。送信電力総和ＳＴが閾値ＴＨＳＴよりも大であるということは、端末ａの送信電力が全体として大きくて許容できる範囲を超えており、他の基地局へのハンドオーバーとか個々のＣＣへの送信電力の配分を見直す必要のあることを示している。
【００２２】
送信電力総和部５２５は、送信電力総和ＳＴおよび個々の送信電力Ｔａ１、Ｔｂ１を、送受信品質報告部５２４へ伝える。送受信品質報告部５２４は、この送信電力総和ＳＴおよび個々の送信電力Ｔａ１、Ｔｂ１を、周期的にＬＴＥ送信部５１１およびアンテナ５３１を介してアンカー基地局である基地局ａ１へ送信する。送受信品質報告部５２４は、この個々の送信電力Ｔａ１、Ｔｂ１を、周期的にＬＴＥ送信部５１１およびアンテナ５３１を介して基地局ａ１へ送信し、この際に送信電力総和ＳＴは送信しないこともできる。
また、送信電力総和部５２５の記憶部５２５２は、送信電力総和ＳＴおよび個々の送信電力Ｔａ１、Ｔｂ１ならびに個々のＣＣの送信電力を一時記憶する。送信電力総和部５２５の判定部５２５１は、送信電力総和ＳＴが閾値ＴＨＳＴを上回ったかどうかを判定するとともに、個々の送信電力Ｔａ１、Ｔｂ１が所定の閾値を上回ったどうかも判定する。この個々の送信電力Ｔａ１、Ｔｂ１についての所定の閾値の点は、後で詳細に説明をする。また、判定部５２５１は、個々のＣＣの送信電力の大小関係を判定することができる。送信電力総和部５２５は、この判定結果を送信電力設定部５２２へ伝え、次に送信電力設定部５２２は、この判定結果を踏まえて上りリンクの個々のＣＣの制御信号（制御データ）とかデータ信号（共有データ）の送信電力設定を行う。なお、送信電力総和部５２５の判定部５２５１は、送信電力総和ＳＴが当初のＣＡ接続時の値から、その後の或る経過後に、所定の増加分だけ増加したことを判定することもできる。
【００２３】
ＣＣ測定部５２３は、基地局ａ１の送信信号に関してアンテナ５３３およびＬＴＥ受信部５１３を介して受信した電波の受信品質Ｒａ１、および基地局ｂ１の送信信号に関してアンテナ５３４およびＬＴＥ受信部５１４を介して受信した電波の受信品質Ｒｂ１を測定する。なお、ＣＣ測定部５２３は、下りリンクの個々のＣＣ毎に、受信した電波の受信品質を測定することができる。
ＣＣ測定部５２３が測定する電波の受信品質は、例えば、基地局の送信した参照信号に関するＲＳＲＰ（参照信号受信電力）またはＲＳＲＱ（参照信号受信品質）である。端末ａは、例えば、ＣＲＳ（セル固有参照信号）に基づいてＲＳＲＰまたはＲＳＲＱを測定することができる。また、ＣＣ測定部５２３は、受信品質Ｒａ１、Ｒｂ１の受信品質総和ＳＲ（以下で、「下りリンク受信品質値」とか「受信品質総和」と言うことがある。）を計算する。受信品質総和ＳＲは以下の式で表される。
【００２４】
ＳＲ＝Ｒａ１＋Ｒｂ１                              （２）
【００２５】
ＣＣ測定部５２３は、受信品質総和ＳＲおよび個々の受信品質Ｒａ１、Ｒｂ１、ならびに個々のＣＣの受信品質を、送受信品質報告部５２４へ伝える。
送受信品質報告部５２４の判定部５２４１は、受信品質総和ＳＲが送受信品質報告部５２４の記憶部５２４２に記憶された閾値ＴＨＳＲを下回ったかどうかを判定する。受信品質総和ＳＲが閾値ＴＨＳＲよりも大であるということは、端末ａの、基地局から受信した電波の受信品質が良好で許容できる範囲に収まっていることを意味する。受信品質総和ＳＲが閾値ＴＨＳＲよりも小であるということは、端末ａの、基地局から受信した電波の受信品質が劣悪で許容できないことを意味する。
また、送受信品質報告部５２４の記憶部５２４２は、この受信品質を一時記憶する。また、端末ａの送受信報告部５２４は、受信品質総和ＳＲおよび個々の受信品質Ｒａ１、Ｒｂ１、ならびに個々のＣＣの受信品質を基地局ａ１へ送信することができる。
【００２６】
送受信品質報告部５２４は、この判定結果を送信電力設定部５２２へ伝え、次に送信電力設定部５２２は、この判定結果を踏まえて、上りリンクの個々のＣＣの制御信号とかデータ信号の送信電力設定を行うこともできる。この点は後で詳述する。
ハンドオーバー制御部５２６は、ハンドオーバーに関する端末ａの各種制御を行う。
【００２７】
端末ａは、基地局ａ１からハンドオーバーの指示を受けて周辺セルのサーチを行う際に、周辺セルの基地局向け上りリンク送信電力の低い基地局を今接続している基地局ａ１に通知することができる。この場合に、周辺セルの基地局向け上りリンク送信電力が低く、且つ、ＲＳＲＰまたはＲＳＰＱの良い基地局を優先して、今接続している基地局ａ１に報告する。より詳細には、式（３）および式（４）を同時に満たす周辺基地局の内で、上りリンク送信電力がより低いものの順に優先して基地局ａ１に報告する。
【００２８】
Ｓ’Ｔ＜ＴＨＳＴ                                      （３）
Ｓ’Ｒ＞ＴＨＳＲ                                      （４）
【００２９】
式（３）は、周辺基地局に対する送信電力総和Ｓ’Ｔが閾値ＴＨＳＴより小であることを示し、式（４）は、周辺基地局からの受信品質総和Ｓ’Ｒが閾値ＴＨＳＲより大であることを示している。優先順位の設定の仕方はこれに限定されない。式（４）を用いないで式（３）だけで優先順位の設定を行ってもよい。
端末ａは、基地局からの距離が短いほど高い上りリンク送信電力を使用するフラクショナル送信電力制御を用いてもよいし、それとは逆に、基地局から距離が長いほど高い上りリンク送信電力を使用する送信電力制御を用いてもよい。
【００３０】
図６は、基地局ａ１（図１）の構成を示す概略ブロック図である。基地局ａ１は、例えばＳ１インターフェースを介して、コアネットワークへ接続されている。基地局ａ１は、ＬＴＥ送信部６１１、ＬＴＥ受信部６１３および制御部６２０を含んで構成される。基地局ａ１は、各送受信部に接続されたアンテナ６３１および６３３を備える。ＬＴＥ送信部６１１およびＬＴＥ受信部６１３は、それぞれ周波数バンドＡ用の送信部および受信部である。基地局ａ１は、ＰＣｅｌｌの上りリンクのＣＣおよび下りリンクのＣＣを用いて、ＬＴＥ送信部６１１およびＬＴＥ受信部６１３で信号の送信および受信をそれぞれ行い、そしてＳＣｅｌｌ０を用いて、ＬＴＥ送信部６１１で信号の送信を行う。
制御部６２０は、送信電力制御部６２１、送信電力設定部６２２、送受信品質設定部６２３およびハンドオーバー制御部６２４を含んで構成される。
送信電力制御部６２１は、アンテナ６３１の送信電力の制御を行う。送信電力設定部６２２は、送信電力の設定を行い、そしてこの送信電力設定情報を送信電力制御部６２１へ伝える。
【００３１】
送受信品質判定部６２３の記憶部６２３２は、端末ａから送られた端末ａの送信電力総和ＴＳＴおよび個々の送信電力Ｔａ１、Ｔｂ１を記憶する。また、端末ａから送信電力Ｔａ１、Ｔｂ１が送信されてきて送信電力総和ＴＳＴが送られてこないときは、記憶部６２３２は、送信電力Ｔａ１、Ｔｂ１のみを記憶し、そしてこの送信電力Ｔａ１、Ｔｂ１から送信電力総和ＴＳＴを求める。
送受信品質判定部６２３の判定部６２３１は、送信電力総和ＴＳＴが記憶部６２３２に記憶された閾値ＴＨＳＴを上回ったかどうかを判定する。判定部６２３１は、その他に、送信電力Ｔａ１が閾値ＴＨａ１を上回ったかどうかを判定したり、送信電力Ｔｂ１が閾値ＴＨｂ１を上回ったかどうかを判定したりする。但し、閾値ＴＨａ１、閾値ＴＨｂ１は以下に示すものである。
【００３２】
ＴＨａ１＝ＴＨＳＴ・Ｔａ１／ＳＴ                            （５）
ＴＨｂ１＝ＴＨＳＴ・Ｔｂ１／ＳＴ                            （６）
【００３３】
式（５）、（６）では、閾値ＴＨＳＴを個々の送信電力に従って振り分けて閾値ＴＨａ１、ＴＨｂ１にしている。なお、閾値ＴＨａ１、ＴＨｂ１の設定は閾値ＴＨＳＴの振り分けであればよく、本発明の実施形態は式（５）、（６）の振り分けに限定されない。
送信電力総和ＴＳＴが閾値ＴＨＳＴを上回り、且つ、送信電力Ｔａ１が閾値ＴＨａ１を上回るものの、送信電力Ｔｂ１が閾値ＴＨｂ１を下回っているときは、基地局ａ１は、端末ａが基地局ａ１から基地局ａ２へハンドオーバーすることを端末ａと他の基地局へ指示する（事例Ａに相当する）。送信電力総和ＴＳＴが閾値ＴＨＳＴを上回り、且つ、送信電力Ｔａ１が閾値ＴＨａ１を上回り、送信電力Ｔｂ１も閾値ＴＨｂ１を上回っているときは、基地局ａ１は、端末ａが基地局ａ１、ｂ１から基地局ａ２、ｂ２へそれぞれハンドオーバーすることを端末ａと他の基地局へ指示する（事例Ｂに相当する）。送信電力総和ＴＳＴが閾値ＴＨＳＴを上回り、且つ、送信電力Ｔａ１が閾値ＴＨａ１を下回るものの、送信電力Ｔｂ１が閾値ＴＨｂ１を上回っているときは、基地局ａ１は、端末ａが基地局ｂ１から基地局ｂ２へハンドオーバーすることを端末ａと他の基地局へ指示する（事例Ｃに相当する）。
なお、基地局ａ１は、送信電力総和ＴＳＴおよび送信電力Ｔａ１、Ｔｂ１の他に、端末ａから受信した受信品質総和ＳＲおよび個々の受信品質Ｒａ１、Ｒｂ１をも考慮して、端末ａをどの基地局からどの基地局へとハンドオーバーさせるかを決定することもできる。
【００３４】
図７は、基地局ｂ１（図１）の構成を示す概略ブロック図である。基地局ｂ１は、ＬＴＥ送信部７１２、ＬＴＥ受信部７１４および制御部７２０を含んで構成される。基地局ｂ１は、各送受信部に接続されたアンテナ７３２および７３４を備える。ＬＴＥ送信部７１２およびＬＴＥ受信部７１４は、それぞれ周波数バンドＢ用の送信部および受信部である。基地局ｂ１は、対になったＳＣｅｌｌ１の上りリンクのＣＣおよび下りリンクのＣＣを用いて、ＬＴＥ送信部７１２およびＬＴＥ受信部７１４で信号の送信および受信をそれぞれ行い、そしてＳＣｅｌｌ２の下りリンクを用いて、ＬＴＥ送信部７１２で信号の送信を行う。
制御部７２０は、送信電力制御部７２１、送信電力設定部７２２およびハンドオーバー制御部７２３を含んで構成される。
送信電力制御部７２１は、アンテナ７３２の送信電力の制御を行う。送信電力設定部７２２は、送信電力の設定を行い、そしてこの送信電力設定情報を送信電力制御部７２１へ伝える。ハンドオーバー制御部７２３は、基地局ａ１の指示に従ってハンドオーバーを実行する。
【００３５】
基地局ａ２の構成は、基地局ａ１の構成と同じである。
基地局ｂ２の構成は、基地局ｂ１の構成と同じである。
【００３６】
端末ａは、（１）１つの基地局（例えば、基地局ａ１）と、上りリンクおよび下りリンクそれぞれ１つのＣＣのみで接続することができる。また、（２）端末ａは、１つの基地局（例えば、基地局ａ１）と、上りリンクおよび下りリンクのＣＣで接続することができ、その際に、上りリンクおよび下りリンクの少なくともいずれかを構成するＣＣが２つまたはそれ以上の個数であることができる。さらにまた、（３）端末ａは、２つの基地局（例えば、基地局ａ１および基地局ｂ１）のそれぞれと、上りリンクおよび下りリンクのＣＣで接続するが、その際の各ＣＣの個数は１つまたはそれ以上であることができる。上記（２）はイントラサイトＣＡ接続であり、上記（３）はＣＡデュアル接続（インターサイトＣＡ接続）である。図１の通信システム１は、上記（３）の場合に相当する。
上記（３）のＣＡデュアル接続に際して、端末ａは、以下の処理を行う。
【００３７】
［処理１］
端末ａの送信電力総和部５２５は、当初のＣＡデュアル接続に際して、送信電力総和ＳＴおよび個々の送信電力Ｔａ１、Ｔｂ１を求めて、これらをアンカー基地局である基地局ａ１へ、ＬＴＥ送信部５１１およびアンテナ５３１を介して周期的に報告することを開始する。これを受けて、基地局ａ１は、送信電力総和ＳＴおよび個々の送信電力Ｔａ１、Ｔｂ１を、送受信品質判定部６２３の記憶装置６２３２に一時記憶し、そして送信電力総和ＳＴの数値変動を判定部６２３１で周期的に監視する。記憶装置６２３２は、前述の閾値ＴＨＳＴ、ＴＨａ１、ＴＨｂ１を記憶する。基地局ａ１の判定部５２４１は、送信電力総和ＳＴが閾値ＴＨＳＴを上回ったと判定した時点で、次の処理を行う。すなわち、基地局ａ１は、端末ａに対して周辺セルを測定する指示を発する。詳細には、前述したようにして、送信電力Ｔａ１、Ｔｂ１が閾値ＴＨａ１、閾値ＴＨｂ１をそれぞれ上回ったか否かも考慮して、サーチすべき異種基地局（マクロ基地局、スモール基地局）を指示する。
【００３８】
端末ａは、この指示に基づいて周辺セルのサーチを行い、そして送信電力総和のより低い基地局から順に基地局ａ１へ報告を行う。この周辺セルの基地局に関する送信電力総和は、例えば、周辺セルの基地局の送信するブロードキャスト信号を受信することで獲得することができる。
基地局ａ１は、この報告に基づいて得られた周辺セルの上りリンク送信電力総和値が、上記記憶装置に記憶している閾値ＴＨＳＴよりも小さな周辺セルを発見すれば、基地局ａ１は、端末ａおよび関連する他の基地局に対して、送信電力総和が低くて済む基地局へのハンドオーバーを指示する。つまり、端末ａの通信相手である基地局ａ１を基地局ａ２に切り替える指示をしたり（図３の事例Ａの場合）、基地局ａ１を基地局ａ２に切り替え且つ基地局ｂ１を基地局ｂ２に切り替える指示をしたり（図３の事例Ｂの場合）、または基地局ｂ１を基地局ｂ２に切り替える指示をしたりする（図３の事例Ｃの場合）。
【００３９】
［処理２］
また、送信電力総和だけでなく、ＲＳＲＰまたはＲＳＲＱも用いることで、より精度を上げた処理を行うことができる。これを説明する。まず、端末ａはＲＳＲＰまたはＲＳＲＱを基地局ａ１へ周期的に報告することを開始する。このことを受けて、基地局ａ１は、上りリンク送信電力総和およびＲＳＲＰまたはＲＳＲＱを送受信品質判定部６２３の記憶装置に一時記憶する。そして、基地局ａ１は、上りリンク送信電力総和値およびＲＳＲＰまたはＲＳＲＱの変動を監視する。次に、上りリンク送信電力総和値が所定の閾値を上回った時点で、ＲＳＲＰまたはＲＳＲＱが所定の閾値を下回った時点で、基地局ａ１は、次の処理を行う。すなわち、基地局ａ１は、端末ａへ周辺セルを測定する指示を出す。
【００４０】
端末ａは、周辺セルのサーチを行い、上りリンク送信電力総和値が低く、且つ、ＲＳＲＰまたはＲＳＲＱが高い基地局から順に基地局ａ１へ報告を行う。この報告は、より詳しくは、周辺基地局から受信した電波の受信品質であるＲＳＲＰまたはＲＳＲＱの総合値が所定の閾値（閾値ＴＨａ１、閾値ＴＨｂ１）よりも高い基地局の内で、端末ａからの上りリンク送信電力の総合値が閾値（ＴＨＳＴ）より低いものの順に優先して基地局ａ１に対して行う。
基地局ａ１は、この報告に基づいてハンドオーバーの指示を行う。
【００４１】
［処理３］
ユーザが端末ａを通常のモードからエコモード（節電モード）に切り替えたことを契機として、上記の[処理１]または[処理２]を実行する。このために、端末ａは、ユーザからの指示を受け入れる入力装置（図５には図示せず）を有し、そしてユーザは、この入力装置を用いて上記の切り替えの指示を行う。
【００４２】
図８は、通信システム１（図１）の端末ａのハンドオーバー、特に、図３の事例(Ａ)のハンドオーバーを示す動作シーケンス図である。
（ステップＳ８０１）最初、端末ａは、基地局ａ１で待ち受けしている（待ち受け状態、アイドル状態）。
（ステップＳ８０２）基地局ａ１は、ＰＣｅｌｌで端末ａにページングメッセージを送信する。このページング（無線呼出し）により、無線区間での信号手順の情報が送信される。
（ステップＳ８０３）端末ａと基地局ａ１の接続が確立する。
（ステップＳ８０４）基地局ａ１は、一方では、端末ａが基地局ａ１とＣＡによる接続を行い、他方では、端末ａと基地局ｂ１とＣＡによる接続を行うデュアル接続を行う。
（ステップ８０５）基地局ａ１は、ステップＳ８０４で決定されたデュアル接続を基地局ｂ１へ通知する。
（ステップＳ８０６）基地局ｂ１は、上記のデュアル接続の準備ができている旨のデュアル接続設定応答を、基地局ａ１に返す。
（ステップＳ８０７）基地局ａ１は、端末ａに対して、基地局ａ１と基地局ｂ１とのデュアル接続の設定を行うことを要求するデュアル接続設定要求を送信する。
（ステップＳ８０８）端末ａは、ＣＡ接続設定応答を基地局ａ１へ返す。
（ステップＳ８０９、ステップＳ８１０）端末ａと基地局ａ１とのＣＡによる接続および端末ａと基地局ｂ１とのＣＡによる接続のデュアル接続が確立する。端末ａは、上記の手順により、上りリンクではＰＣｅｌｌとＳＣｅｌｌ１の２ＣＣを使用したＣＡ接続（デュアル接続)、下りリンクではＰＣｅｌｌ、ＳＣｅｌｌ０、ＳＣｅｌｌ１およびＳＣｅｌｌ２の４ＣＣを使用したＣＡ接続（デュアル接続)が確立する。
【００４３】
（ステップＳ８１１）端末ａの送受信品質判定部６２３は、送信品質を監視する。この送信品質とは、前述の送信電力総和ＳＴおよび送信電力Ｔａ１、Ｔｂ１のことである。
（ステップＳ８１２）端末ａは、ステップＳ８１１で監視した送信品質を基地局ａ１へ通知する。
（ステップＳ８１３）基地局ａ１の送受信品質判定部６２３は、端末ａから通知された送信電力総和ＳＴが閾値ＴＨＣを超えたか否かを判定する。
（ステップＳ８１４）基地局ａ１は、送信電力総和ＳＴが閾値ＴＨＣを超えたと判定したら、特に、異種基地局のどの基地局をサーチするかを判定したら、この場合は、端末ａに対してマクロ基地局に対するサーチの指示を行う。
（ステップＳ８１５）端末ａは、マクロ基地局に関するセルサーチを行う。
（ステップＳ８１６）端末ａは、セルサーチの結果について、セルサーチの対象となったマクロセル基地局の優先順位(送信電力が少なくて済む基地局ほど優先順位を高くする)に従った報告を基地局ａ１に対して行う。
（ステップＳ８１７）端末ａは、接続するマクロ基地局を前記優先順位に従って、より端末ａの送信電力が少なくて済む基地局（基地局ａ２）にハンドオーバーする。
（ステップＳ８１８）基地局ａ１は、基地局ａ２に対して、端末ａとの通信を確立するハンドオーバーを指示する。
（ステップＳ８１９）基地局ａ１は、端末ａに対して、基地局ａ２との通信を確立するハンドオーバーを指示する。
（ステップＳ８２０）端末ａが通信対象を基地局ａ１から基地局ａ２にハンドオーバーする処理が完了する。
なお、上記のハンドオーバーの手順において、スモール基地局間でのハンドオーバーは実行されない。
【００４４】
ハンドオーバーの事例（Ｂ）および事例（Ｃ）についても、そのシーケンス動作の具体的態様は、上述の事例(Ａ)のものと同様である。
【００４５】
（効果）
本発明の第１の実施形態によれば、ＣＡデュアル接続において、端末ａの送信電力の抑制を行いつつ、端末ａの周辺セルに対するハンドオーバーを実行することができる。
【００４６】
以下では、端末ａがハンドオーバーを要せずに送信電力の削減を行うことのできる種々の実施形態について、説明を行う。
【００４７】
＜第２の実施形態＞
端末ａの送信電力総和部５２５は、当初のＣＡ接続に際して、送信電力総和ＳＴを求める。次に、端末ａは、送信電力総和ＳＴが閾値ＴＨＳＴを上回った時点で、次の処理を行う。この送信電力総和ＳＴが閾値ＴＨＳＴを上回った時点とは、当初のＣＡ接続の時点であってもよいし、その後の或る時間経過の後の時点であってもよい。このことは、端末ａが１台の基地局（例えば、基地局ａ１）とＣＡ接続している場合でもよいし、２台の基地局（例えば、基地局ａ１と基地局ｂ１）とＣＡ接続している場合（ＣＡデュアル接続の場合）であってもよい。この点は、以下の他の実施形態においても同じである。
【００４８】
［処理１］
端末ａの送信電力設定部５２２は、送信電力の高いＣＣ（コンポーネントキャリア）に対して制御信号のみを送信する。但し、端末ａが２つの基地局（例えば、基地局ａ１およびｂ１）のそれぞれと２つまたはそれ以上のＣＣで接続している場合、それぞれの基地局に対するＣＣの内で送信電力の高いＣＣに対して制御信号のみを送信する。
［処理２］
端末ａの送信電力設定部５２２は、送信電力の高いＣＣ（コンポーネントキャリア）に対する送信データ量を減らす。この際に、端末ａの送信電力設定部５２２は、送信電力の低いＣＣに対する送信データを増やしてもよい。このことは、個々のＣＣに対する送信電力の上限値がその平均値に対してプラス３０％の範囲、好ましくは２０％の範囲、さらに好ましくは１０％の範囲に収まるようにすることが望ましいが、これに限定されない。また、端末ａの送信電力設定部５２２が送信電力の高いＣＣに対する送信データ量を減らす際の送信データには、制御信号のみが含まれていてもよい。このことは、送信電力が少なくて済むＣＣとの通信の比率を上げることになる。端末ａは、このことによって送信電力全体の抑圧を行う。
【００４９】
(効果)
ＣＡ接続に際して、送信電力が少なくて済むＣＣとの通信の比率を上げることにより、ハンドオーバーを行うことなく、端末の電力消費を低減できる。しかも、この処置は基地局ａ１の関与なく簡便に行うことができる。
【００５０】
＜第３の実施形態＞
端末ａの送信電力総和部５２５は、当初のＣＡ接続に際して、ＣＡ接続に関する送信電力総和ＳＣ０を求める。次に、端末ａの送信電力総和部５２５は、送信電力総和ＳＣが所定の増加分Ｄだけ増加して送信電力総和ＳＣ１になった時点で、次の処理を行う。
【００５１】
ＳＣ１＝ＳＣ０＋Ｄ                                （７）
【００５２】
端末ａの送信電力設定部５２２は、送信電力の高いＣＣに対する送信データ量を減らす。このことは、個々のＣＣに対する送信電力の上限値がその平均値に対してプラス３０％の範囲、好ましくは２０％の範囲、さらに好ましくは１０％の範囲に収まるようにすることが望ましいが、これに限定されない。この際に、端末ａの送信電力設定部５２２は、送信電力の低いＣＣに対する送信データを増やしてもよい。また、端末ａが送信電力の高いＣＣに対する送信データ量を減らす際の送信データには、制御データのみが含まれていてもよい。このことは、送信電力が少なくて済むＣＣとの通信の比率を上げることになる。端末ａは、このことによって送信電力全体の抑圧を行う。
【００５３】
(効果)
端末ａは、ＣＡ時に、送信電力が少なくて済むＣＣとの通信の比率を上げることにより、ハンドオーバーを行うことなく端末の電力消費を低減できる。しかも、この処置は基地局ａ１の関与なく端末ａが簡便に行うことができる。また、閾値として固定の（絶対的な）閾値を用いないので、処理の柔軟性が増す。
【００５４】
＜第４の実施形態＞
端末ａの送信電力総和部５２５は、当初のＣＡ接続またはＣＡデュアル接続に際して、個々のＣＣに対する送信電力を求める。端末ａは、次に、送信電力の高いＣＣに対する送信データ量を減らす。このことは、個々のＣＣに対する送信電力の上限値がその平均値に対してプラス３０％の範囲、好ましくは２０％の範囲、さらに好ましくは１０％の範囲に収まるようにすることが望ましいが、これに限定されない。なお、このときに送信電力の低いＣＣに対する送信データ量を増やしてもよい。
【００５５】
(効果)
端末ａは、当初のＣＡ接続またはＣＡデュアル接続に際して、送信電力が少なくて済むＣＣとの通信の比率を上げることにより、ハンドオーバーを行うことなく端末の電力消費を低減できる。しかも、この処置は基地局ａ１の関与なく端末ａが簡便に行うことができる。また、当初のＣＡ接続またはＣＡデュアル接続に際してＣＣの送信電力制御を直接に行うので、端末ａの省電力を効果的に行うことができる。
【００５６】
＜第５の実施形態＞
第１ないし第４の実施形態を、端末ａがＣＡ接続の場合であって、３台またはそれ以上の台数の基地局と接続するときに拡張して、適用する。つまり、端末ａが送信データを３台またはそれ以上の台数の基地局へ送信する場合に、上り送信電力の大きな基地局のＣＣへ送信する送信データ量を、第１ないし第４の実施形態に従って、低減する。
例えば、３基地局以上ＣＡ（デュアル接続）しているときは、送信電力が一番少ない基地局でのみデータ送信を行い、他の基地局へは制御信号だけ送信する。
【００５７】
＜第６の実施形態＞
ユーザが端末ａを通常のモードからエコモード（節電モード）に切り替えたことを契機として、上記の各実施形態を実施する。
【００５８】
＜付記＞
本発明の実施形態は、次の態様で実施することができる。
付記１
１台またはそれ以上の台数の基地局と接続する２つまたはそれ以上の個数の上りリンクコンポーネントキャリアの送信電力を設定する送信電力設定部と、
前記送信電力設定部からの情報に基づいて送信電力を制御する送信電力制御部と、
前記個々の上りリンクコンポーネントキャリアの送信電力の総和を求める送信電力総和部と、
前記個々の上りリンクコンポーネントキャリアの送信電力の総和が所定の閾値を上回る時点で、ハンドオーバーを実行するハンドオーバー制御部と、
を含んで構成される端末。
【００５９】
付記２
１台またはそれ以上の台数の基地局と接続する２つまたはそれ以上の個数の上りリンクコンポーネントキャリアの送信電力を設定する送信電力設定部と、
前記送信電力設定部からの情報に基づいて送信電力を制御する送信電力制御部と、
前記個々の上りリンクコンポーネントキャリアの送信電力の総和を求める送信電力総和部と、
前記基地局から２つまたはそれ以上の個数の下りリンクコンポーネントキャリアで受信した受信電波の受信品質の総和を求めるＣＣ測定部と、
前記送信電力の総和および前記受信品質の総和から総合評価を求める総合評価部と、
前記総合評価が所定の閾値を上回る時点で、ハンドオーバーを実行するハンドオーバー制御部と、
を含んで構成される端末。
【００６０】
付記３
一方では端末に接続し、他方では他の基地局と接続し、前記端末との接続はキャリアアグリゲーション接続である基地局であって、
前記端末から送信された前記端末ａの個々の上りリンクコンポーネントキャリアの送信電力の総和が、所定の閾値を超えたことを判定する判定部と、
前記送信電力の総和が前記閾値を上回る時点で、ハンドオーバーを実行するハンドオーバー制御部と、
を含んで構成される基地局。
【００６１】
付記４
一方では端末に接続し、他方では他の基地局と接続し、前記端末との接続はキャリアアグリゲーション接続である基地局であって、
前記端末から送信された前記端末ａの個々の上りリンクコンポーネントキャリアの送信電力の総和、および前記端末の受信電波の受信品質の総和から求められた総合評価が、所定の閾値を超えたことを判定する判定部と、
前記総合評価が前記閾値を上回る時点で、ハンドオーバーを実行するハンドオーバー制御部と、
を含んで構成される基地局。
【００６２】
付記５
ヘテロジニアスコミュニケーションを行う１台の基地局への端末からの第１の上りリンク送信電力を取得する過程と、
前記ヘテロジニアスコミュニケーションを行う別の基地局への前記端末からの第２の上りリンク送信電力を取得する過程と、
少なくとも前記第１および第２の上り送信電力を含めて上り送信電力の総和を取得する過程と、
前記送信電力の総和が所定の閾値を上回る時点でハンドオーバーを実行する過程と、
を備える通信方法。
【００６３】
付記６
ヘテロジニアスコミュニケーションを行う１台の基地局への端末からの第１の上りリンク送信電力を取得する過程と、
前記ヘテロジニアスコミュニケーションを行う別の基地局への前記端末からの第２の上りリンク送信電力を取得する過程と、
少なくとも前記第１および第２の上り送信電力を含めて上り送信電力の総和を取得する過程と、
前記ヘテロジニアスコミュニケーションを行う１台の基地局から前記端末への第１の下りリンク受信品質を取得する過程と、
前記ヘテロジニアスコミュニケーションを行う別の基地局から前記端末への第２の下りリンク受信品質を取得する過程と、
少なくとも前記第１および第２の下りリンク受信品質を含めて下りリンク受信品質の総和を取得する過程と、
前記送信電力の総和と前記受信品質の総和から総合評価を求める過程と、
前記送信電力の総和が所定の閾値を上回る時点でハンドオーバーを実行する過程と、
を備える通信方法。
【００６４】
付記７
端末の当初のキャリアアグリゲーション接続において、前記端末の上りリンクコンポーネントキャリアの送信電力総和を求める過程と、
前記送信電力総和が所定の閾値を上回った時点において、送信電力の高いコンポーネントキャリアに対する送信電力を減らして、送信電力が少なくて済むコンポーネントキャリアとの端末の通信比率を上げる過程と、
を備える通信方法。
【００６５】
付記８
端末の当初のキャリアアグリゲーション接続において、前記端末の上りリンクコンポーネントキャリアの送信電力総和を求める過程と、
前記当初の送信電力総和が所定の増加分だけ増加した時点において、送信電力の高いコンポーネントキャリアに対する送信電力を減らして、送信電力が少なくて済むコンポーネントキャリアとの端末の通信比率を上げる過程と、
を備える通信方法。
【００６６】
付記９
端末の当初のキャリアアグリゲーション接続において、前記端末の上りリンクコンポーネントキャリアの個々の送信電力を求める過程と、
個々のＣＣに対する送信電力の上限値がその平均値に対してプラス３０％の範囲、好ましくは２０％の範囲、さらに好ましくは１０％の範囲に収まるように、送信電力の高いコンポーネントキャリアに対する送信電力を減らして、送信電力が少なくて済むコンポーネントキャリアとの端末の通信比率を上げる過程と、
を備える通信方法。
【００６７】
以上、図面を参照してこの発明の実施形態について詳しく説明してきたが、具体的な構成は上述のものに限られることはなく、本発明の要旨を逸脱しない範囲内において様々な設計変更等をすることが可能である。
【産業上の利用可能性】
【００６８】
本発明の実施形態は、ＬＴＥ-Ａでのキャリアアグリゲーションデュアル接続の技術分野またはこれと類似の技術分野において利用することができる。
【符号の説明】
【００６９】
ａ・・・端末        ａ１、ａ２、・・・マクロ基地局        ｂ１、ｂ２・・・スモール基地局        Ｃａ１、Ｃａ２、Ｃｂ１、Ｃｂ２・・・通信エリア        ＰＣｅｌｌ・・・プライマリセル        ＳＣｅｌｌ・・・セカンダリセル
【図１】
2015177378.tif 000003
【図２】
2015177378.tif 000004
【図３】
2015177378.tif 000005
【図４】
2015177378.tif 000006
【図５】
2015177378.tif 000007
【図６】
2015177378.tif 000008
【図７】
2015177378.tif 000009
【図８】
2015177378.tif 000010